(57)【特許請求の範囲】
【請求項１】
被圧入部材に、Ｏリングを介して圧入部材を圧入する圧入装置であって、
前記被圧入部材を支持する支持部材と、
上下方向に移動可能であって前記圧入部材を保持する保持部材と、
前記支持部材と前記保持部材との一方を弾性的に支持して、前記圧入部材の圧入にかかる荷重を受けるものであって、弾性力の最大値が、前記圧入部材の圧入にかかる力よりも大きく、かつ前記Ｏリングを切断する力よりも小さい弾性部材と、
前記保持部材を一定位置まで下降可能に構成した移動機構とを有する圧入装置。
【請求項２】
前記保持部材が前記一定位置まで下降した状態で、前記圧入部材と前記被圧入部材とを抜け止めする抜け止め部材を組み付ける組み付け機構を有する請求項１に記載の圧入装置。
【発明の詳細な説明】
【技術分野】
【０００１】
本発明は、圧入装置に関する。
【背景技術】
【０００２】
水などの液体が内部を通過する部材に対して、液温センサなどの部材を装着する場合には、装着した液温センサの周囲からの液漏れを防止するために、シール部材であるＯリングを介して液温センサを圧入することが行われることがある。また、その際には、圧入した部材が抜け落ちないように、金属棒を折り曲げて形成したクリップなどの抜け止め部材を組み付けている。
【０００３】
被圧入部材への圧入部材の圧入は、手作業によって行うと非常に手間がかかるため、手動によって操作する圧入装置によって行われる。図７に示す圧入装置１００は、被圧入部材を支持する支持部２００と、圧入部材を保持する保持部３００と、上下方向に移動可能で保持部３００が取り付けられる移動部材４００と、移動部材４００と連結されて作業者が掴んで上下方向に移動させる把手５００とを有している。
【０００４】
このような圧入装置１００においては、支持部２００に被圧入部材をセットし、保持部３００に圧入部材としてＯリングを装着した液温センサをセットして、把手５００を作業者が押し下げることによって圧入を行う。それにより、図７に一点鎖線で示すように、移動部材４００に取り付けられた保持部３００が下降して、液温センサが被圧入部材に圧入される。
【０００５】
しかしながら、圧入装置１００においては、Ｏリングの装着が正しくされていない場合であっても、作業者が把手５００を無理に押し下げて必要以上の荷重を与えることにより、圧入を行うことができる。その場合には、Ｏリングが切断されたり、液温センサが破損したりする場合がある。Ｏリングが切断されても外観からはわからない場合があり、その場合には、液温センサの周囲から液漏れが発生する可能性のある不完全な製品を製造してしまう。そのため、Ｏリングの圧入にあたり、圧入不良を検知する方法が特開平１１−３２６１２８号公報で提案されている（特許文献１）。
【先行技術文献】
【特許文献】
【０００６】
【特許文献１】特開平１１−３２６１２８号公報
【発明の概要】
【発明が解決しようとする課題】
【０００７】
特許文献１に記載のＯリングの圧入不良検知方法は、Ｏリングを装着する部材の圧入および引き抜く際にかかる荷重の値を、所定値と比較することにより、圧入不良を検知するものである。しかしながら、圧入する際の荷重を測定するためには、荷重検知手段および所定値との比較手段が必要であり、装置のコストアップや制御の複雑化につながる。また、圧入作業の度に荷重を検知して、所定値との比較結果を確認する必要があるため、作業が煩雑となるという問題がある。さらに、圧入時の荷重を検知するだけでは、Ｏリングが適正に装着されていない場合には、圧入動作によってＯリングや圧入する部材に必要以上の荷重がかかってしまうおそれがある。
【０００８】
そこで、本発明においては、上記の問題に鑑みて、Ｏリングを装着した圧入部材の圧入が正しく行われたことが、荷重検知手段などの測定手段を用いることなく容易に検知でき、また、圧入時に、Ｏリングや圧入部材に必要以上の荷重がかかることを防止する圧入装置を提供することを目的とする。
【課題を解決するための手段】
【０００９】
上記目的を達成するために、請求項１に記載の圧入装置は、被圧入部材に、Ｏリングを介して圧入部材を圧入する圧入装置であって、被圧入部材を支持する支持部材と、上下方向に移動可能であって圧入部材を保持する保持部材と、支持部材と保持部材との一方を弾性的に支持して、圧入部材の圧入にかかる荷重を受けるものであって、弾性力の最大値が、圧入部材の圧入にかかる荷重よりも大きく、かつＯリングを切断する力よりも小さい弾性部材と、保持部材を一定位置まで下降可能に構成した移動機構とを有することを特徴とする。
【００１０】
上記の圧入装置においては、被圧入部材を支持する支持部材または圧入部材を保持する保持部材の一方が、弾性部材により弾性的に支持される。支持部材の側に弾性部材を設けた場合を例にとって説明すると、圧入部材にＯリングが適正に装着されている場合、移動機構により保持部材を下降させることで、保持部材に保持された圧入部材が共に下降し、被圧入部材に当接する。そして、圧入が開始される荷重（反力）となるまで弾性部が圧縮され、圧入可能な荷重に反力（弾性力）が達した時点で、圧入が開始される。このようにして、一定位置まで保持部材を下降させることで、圧入動作は完了し、被圧入部材を支持する支持部材も対応する位置まで下降する。
【００１１】
しかしながら、圧入部材にＯリングが適正に装着されていない場合、圧入開始に要する荷重（弾性力）が、Ｏリングの適正装着時に比べて大きくなるので、その分、弾性部材の圧縮量も多くなる。そのため、常に一定の位置まで保持部材を下降させて圧入を図ったとしても、最終的な支持部材の位置は、適正位置に比べて低く（下方に）なる。
【００１２】
このように、支持部材を弾性支持して、保持部材を一定の位置まで下降可能に構成することで、圧入動作完了時（下降動作完了時）の支持部材の高さ位置を見るだけで、Ｏリングが適正に装着された状態で圧入が行われたかどうかを判別することができる。なお、保持部材に弾性部材を設けた場合であっても、同様に、圧入動作完了時に保持部材の高さを見るだけで、圧入が正しく行われたかどうかを判別することができる。
【００１３】
また、本発明の圧入装置において、保持部材が一定位置まで下降した状態で、圧入部材と被圧入部材とを抜け止めする抜け止め部材を組み付ける組み付け機構を有するように構成してもよい。
【００１４】
これにより、保持部材が一定位置まで下降した際に、圧入部材が正しく圧入されている場合は、支持部材に支持された被圧入部材と保持部材に保持された圧入部材とは、適正な位置まで下降しているため、これらの部材に抜け止め部材を組み付けることができる。しかしながら、圧入部材が正しく圧入されていない場合は、被圧入部材と圧入部材とは適正な位置に停止していないため、抜け止め部材を組み付けることができない。
【発明の効果】
【００１５】
以上のように、圧入部材が正しく圧入されているかどうかについては、支持部材または保持部材の高さ位置を見るだけで正否判断ができるので、荷重検知手段などの測定手段を用いることなく、容易に検知することができる。また、Ｏリングが適正に装着されていない場合に、圧入部材の圧入以上の荷重がかかったとしても、移動機構は一定の下降ストロークとなるので、弾性部材がその分圧縮することで、超過分の荷重が吸収される。そのため、Ｏリングや圧入部材に正規の圧入荷重を大きく超える荷重がかかること、ひいては破損を防止することができる。
【図面の簡単な説明】
【００１６】
【図１】本発明の一実施形態にかかる圧入装置の外観を示す斜視図である。
【図２】（ａ）は、上記圧入装置に液温センサ、被圧入部材、およびクリップを装着した状態の正面図である。同図（ｂ）は、その状態を示す側面図である。
【図３】液温センサの圧入動作時を示す側面図である。同図（ａ）は、液温センサが正しく圧入された状態を示し、同図（ｂ）は、正しく圧入されていない状態を示す。
【図４】クリップの組み付け動作を示す図である。同図（ａ）は、クリップが組み付けられた状態を示し、同図（ｂ）は、クリップが組み付けられない状態を示す。
【図５】圧入動作が完了した状態を示す。同図（ａ）は、圧入が完了した状態を示し、同図（ｂ）は、正しく圧入されていない状態を示す。
【図６】本発明の別実施形態にかかる保持機構の内部を示す側面図である。同図（ａ）は、液温センサが正しく圧入された状態を示し、同図（ｂ）は、正しく圧入されていない状態を示す。
【図７】従来の圧入装置を示す図である。
【発明を実施するための形態】
【００１７】
以下、添付の図面に基づき、本発明の圧入装置について説明する。
【００１８】
本発明の一実施形態にかかる圧入装置１０は、図１に示すように、被圧入部材を支持する支持機構２０、圧入部材を保持する保持機構３０、保持機構３０を上下動させる移動機構４０、および抜け止め部材としてのクリップを組み付ける組み付け機構５０を有している。
【００１９】
本実施形態においては、圧入装置１０は、平坦な板状の基台１１および基台１１に対して垂直に設けられた支柱１２をさらに有している。基台１１には、支持機構２０および組み付け機構５０が取り付けられており、支柱１２には、移動機構４０が設けられている。なお、本実施形態における圧入装置１０においては、３箇所で同時に圧入動作を行うことが可能である。
【００２０】
支持機構２０は、被圧入部材を載置する支持部材２１と、支持部材２１を弾性的に支持する弾性部材２２と、被圧入部材の浮き上がりを防止する押さえ部材２３と、押さえ部材２３を移動させるスライド部材２４とから構成されている。
【００２１】
支持部材２１は、被圧入部材が嵌合する凹部を有しており、図示しない複数の孔部にピン２１１を挿通することにより基台１１に上下動可能に取り付けられている。また、ピン２１１の上端部によって支持部材２１の上方向の移動が規制されている。ピン２１１には、弾性部材２２が取り付けられている。
【００２２】
弾性部材２２は、螺旋状のコイルバネであって、圧入部材の圧入にかかる力よりも大きく、Ｏリングを切断する力よりも小さい弾性力を有する。弾性部材２２は、支持部材２１の下方に配置されて、支持部材２１を上方向に付勢している。
【００２３】
押さえ部材２３は、一端側に長孔２３１を設けた矩形の部材であり、長孔２３１には、ピン２１１が移動可能に挿通されている。また、押さえ部材２３の他端側には、固定ピン２３２の上端が固定されており、固定ピン２３２の下端はスライド部材２４に固定されて押さえ部材２３とスライド部材２４とを連結している。押さえ部材２３は、後述するように、被圧入部材の押さえ位置と当接することにより、支持部材２１に載置された被圧入部材の上方への浮き上がりを防止する。
【００２４】
スライド部材２４は、複数の固定ピン２３２が固定されており、スライドレール２４１に沿って、奥方向（矢印Ａ１）および手前方向（矢印Ａ２）に移動可能である。摘み部２４２を作業者が掴んで矢印Ａ１またはＡ２の方向に移動させることにより、スライド部材２４および固定ピン２３２を介して連結されている複数の押さえ部材２３は、装置の奥方向または手前方向に移動する。
【００２５】
また、支柱１２に取り付けられている移動機構４０は、作業者が圧入動作を行うために操作するハンドル４１と、ハンドル４１の操作によって上下方向に移動可能な移動部材４２とを有している。移動部材４２には、複数の保持機構３０が取り付けられている。
【００２６】
ハンドル４１は、支軸４１１を中心に揺動可能に支柱１２に取り付けられており、一端の掴部を作業者が掴んで揺動させることができる。ハンドル４１の他端は、揺動による移動を上下移動に変換する変換機構４１２を介して移動部材４２に連結されている。作業者が、ハンドル４１を揺動させて押し下げることにより、移動部材４２および保持機構３０を一定位置まで下降させることができる。
【００２７】
移動部材４２は、ガイド部４２１によって支柱１２に上下動可能に支持されており、ハンドル４１の揺動に伴って規定範囲内を上下方向に移動する。また、移動部材４２は、支柱１２と垂直で基台１１と平行な押圧部４３を有する。押圧部４３の下面には保持機構３０が３箇所に取り付けられている。
【００２８】
保持機構３０は、圧入部材を保持するのに適した形状（本実施形態においては円筒形）をしており、圧入部材の上端部を保持する保持部３１を有している。圧入部材は保持部３１の図示しない保持部材によって挟持されることで保持される。保持部材による保持力は、圧入前の圧入部材を落下することなく保持し、圧入後は圧入された圧入部材を引き抜くことのない程度である。例えば、バネやゴムなどの弾性力によって圧入部材を挟持して保持してもよい。また、移動部材４２の押圧部４３の一定位置までの下降により、圧入部材を被圧入部材に圧入する。
【００２９】
さらに、組み付け機構５０は、手前方向（矢印Ｂ１）および奥方向（矢印Ｂ２）に移動可能な移動部５１と、移動部５１に取り付けられて、抜け止め部材としてのクリップを保持するクリップ保持部５２とから構成される。
【００３０】
移動部５１は、作業者が組み付け動作を行うために操作するレバー５１１が取り付けられており、作業者によるレバー５１１の移動によって基台１１に取り付けられたガイドレール５１２に沿って手前方向（矢印Ｂ１）および奥方向（矢印Ｂ２）に移動する。
【００３１】
クリップ保持部５２は、クリップの端部を保持し、移動部５１が手前方向（矢印Ｂ１）に移動することによって、クリップを圧入部材および被圧入部材に係合するように組み付ける。なお、クリップの保持力は、クリップの係合力よりも弱い保持力である。
【００３２】
続いて、図２〜図５に基づいて、本発明にかかる圧入装置１０の動作について説明する。図２（ａ）は、圧入装置１０に圧入部材としての液温センサＴ、被圧入部材Ｐ、およびクリップＣを装着した状態の正面図であり、図２（ｂ）は、その状態の側面図である。
【００３３】
作業者は、図２（ａ）および（ｂ）に示すように、圧入装置１０の支持機構２０の支持部材２１に被圧入部材Ｐをセットし、保持機構３０の保持部３１に、圧入部材としてのＯリングＲを装着した液温センサＴを保持させる。また、クリップＣの端部をクリップ保持部５２に保持させる。さらに、支持機構２０のスライド部材２４の摘み部２４２を掴んで、奥方向（矢印Ａ１）に押圧することにより、スライド部材２４および押さえ部材２３を奥方向に移動させる。
【００３４】
圧入動作に必要な各部材を圧入装置１０にセットすると、作業者は、ハンドル４１（図１参照）を手前方向に揺動させて押し下げることで、移動機構４０の押圧部４３に取り付けられる保持機構３０を一定位置Ｌまで下降させ、液温センサＴを被圧入部材Ｐに圧入する。図３（ａ），（ｂ）に圧入動作を行った状態を示す。図３（ａ）は、液温センサＴが正しく圧入された状態を示し、図３（ｂ）は、正しく圧入されていない状態を示す。
【００３５】
圧入動作の初期では、被圧入部材Ｐが載置される支持部材２１を弾性支持する弾性部材２２が支持部材２１を押圧する荷重（弾性力）の方が、液温センサＴの圧入に要する力よりも小さいので、弾性部材２２が圧縮されて支持部材２１は下降する。その後、弾性部材２２の圧縮による反力（弾性力）が、圧入に要する力に達した時点で、液温センサＴは被圧入部材Ｐに圧入される。なお、弾性部材２２は、圧入に要する力と等しい反力（弾性力）となるまで、予め圧縮させた状態で取り付けて支持部材２１を支持させてもよい。この場合は、支持部材２１が下方に移動することなく液温センサＴが被圧入部材Ｐに圧入される。
【００３６】
液温センサＴが被圧入部材Ｐに圧入されると、移動機構４０の押圧部４３に設けられた押圧部材が、被圧入部材Ｐの規定部分を押圧し、支持部材２１を下方に押し下げる。本実施形態においては、保持部３１の周縁部を押圧部材として用い、被圧入部材Ｐにおいて液温センサＴが圧入される部位の周辺を押圧するようにした。なお、押圧部材を別部材として押圧部４３に取り付けて、被圧入部材Ｐや支持部材２１の規定部位を押圧するようにしてもよい。
【００３７】
このように、ハンドル４１を押し下げることにより、移動機構４０の押圧部４３が一定位置Ｌまで下降する。ここで、液温センサＴが正しく圧入された場合は、図３（ａ）に示すように、圧入動作後、押圧部材による押圧により、支持部材２１が適正位置Ｓまで下降して停止する。しかしながら、ＯリングＲの装着不備などにより液温センサＴが正しく圧入されなかった場合は、図３（ｂ）に示すように、支持部材２１が適正位置Ｓよりも下方の位置Ｓ´まで下降した状態で停止する。この場合は、弾性部材２２は正しく圧入された状態よりも圧縮されている。なお、この場合であっても、弾性部材２２の弾性力は、Ｏリングを切断する力よりも小さいため、Ｏリングが切断されることはない。
【００３８】
続いて、クリップＣの組み付け動作を行う。図４（ａ）、（ｂ）にクリップの組み付け動作を行った状態を示す。図４（ａ）はクリップが組み付けられた状態を示し、図４（ｂ）はクリップが組み付けられない状態を示す。
【００３９】
液温センサＴの圧入動作を行った後、作業者は、ハンドル４１を押し下げた状態で、組み付け機構５０のレバー５１１を手前方向（矢印Ｂ１）に移動させてクリップＣの組み付け動作を行う。それにより、クリップＣを保持するクリップ保持部５２が、被圧入部材Ｐに向けて移動して、クリップＣを被圧入部材Ｐに組み付ける。
【００４０】
ここで、液温センＴサが正しく圧入されている場合は、図４（ａ）に示すように、支持部材２１が適正位置Ｓに停止しているため、クリップＣは、被圧入部材Ｐに組み付けられる。クリップＣの組み付けは、被圧入部材Ｐに設けられた図示しない穴部にクリップＣの先端が挿入され、被圧入部材Ｐに圧入された液温センサＴのＯリングＲの上部をクリップＣにより挟み込むことにより、液温センサＴを抜け止めする。
【００４１】
一方、液温センサＴが正しく圧入されていない場合は、図４（ｂ）に示すように、支持部材２１が適正位置Ｓよりも下方の位置Ｓ´に停止しているため、クリップＣが挿入される穴部も下方に位置している。そのため、クリップ保持部５２が被圧入部材Ｐに向けて移動しても、クリップＣの先端が被圧入部材Ｐの側壁に当接するため、クリップＣを組み付けることができない。
【００４２】
なお、クリップＣを組み付ける際には、クリップＣによって液温センサＴを挟み込むためにクリップＣを開く力を必要とするため、バネなどによる補助力を与えてもよい。この場合は、クリップＣの先端が、被圧入部材Ｐに挿入された後の移動を補助することが好ましい。それにより、クリップＣを組み付けられない場合は、クリップＣの先端が挿入されないため、クリップＣの先端を傷めたり、被圧入部材Ｐの側壁を傷つけたりすることなく、作業者は、移動が規制されたことを知ることができる。
【００４３】
図５（ａ）、（ｂ）には、圧入動作が完了した状態を示す。図５（ａ）は圧入が完了した状態を示し、図５（ｂ）は正しく圧入されなかった状態を示す。
【００４４】
クリップＣの組み付け動作が終了すると、作業者は、レバー５１１を奥方向（矢印Ｂ２）に移動して元の位置に戻し、続いて、ハンドル４１上方向に揺動して、保持機構３０を上昇させて元の位置に戻す。
【００４５】
このとき、液温センサＴの圧入が正しく行われている場合は、図５（ａ）に示すように、クリップ保持部５２は、クリップＣの保持が外れた状態で元の位置にまで移動する。また、保持部３１は、液温センサＴの保持が外れた状態で元の位置まで移動する。
【００４６】
一方、液温センサＴの圧入が正しく行われていない場合は、図５（ｂ）に示すように、クリップ保持部５２は、クリップＣを保持したままで元の位置まで移動する。また、保持部３１は、液温センサＴを保持したままで元の位置まで移動する。
【００４７】
ここで、保持機構３０が上昇する際には、液温センサＴが正しく圧入されている場合には、保持部３１による液温センサＴの保持が外れるための力がかかり、液温センサＴが正しく圧入されていない場合には、被圧入部材Ｐから液温センサＴが外れるための力がかかる。いずれにしても、被圧入部材Ｐに対して、上方向の力がかかることになる。この際には、押さえ部材２３と被圧入部材Ｐの押さえ位置とが当接することにより、被圧入部材Ｐの上方への浮き上がりを防止する。
【００４８】
作業者は、スライド部材２４の摘み部２４２を手前方向（矢印Ａ２）に引いた後、被圧入部材Ｐを取り出すことで、圧入動作を完了する。なお、液温センサＴが正しく圧入されなかった場合には、液温センサＴのＯリングＲを正しく装着して、再度圧入動作を行う。
【００４９】
〔第２実施形態〕
続いて、圧入装置の別実施形態を図６に基づいて説明する。図６は、本発明の別実施形態にかかる保持機構３０の内部を示す側面図である。図６（ａ）は、圧入部材としての液温センサが正しく圧入された状態を示し、図６（ｂ）は、正しく圧入されていない状態を示す。なお、上記実施形態の圧入装置１０において、保持機構３０の他は、支持部材２１が基台１１に固定された点が異なり、他の構成は同じであるため、圧入装置全体の図示は省略する。
【００５０】
図６（ａ）に示すように、保持機構３０は、保持部３１の内部に、圧入部材を保持し、上下動可能な保持部材３２を有する。
【００５１】
保持部材３２は、一端は圧入部材の上端部を保持可能な形状をしており、他端は、支持軸３３に挿通されて、弾性バネ３４で下方に付勢されている。弾性バネ３４は、圧入部材の圧入にかかる力よりも大きく、Ｏリングを切断する力よりも小さい弾性力を有する。
【００５２】
このような保持機構３０を用いて、移動機構４０によって保持部を一定位置まで下降さることで、圧入部材としてＯリングＲを装着した液温センサＴを被圧入部材に圧入すると、正しく圧入された場合には、図６（ａ）に示すように、保持部材３２が適正位置Ｑで停止する。この場合は、上述の実施形態と同様に、クリップＣの組み付けが適正に行われる。
【００５３】
しかしながら、液温センサＴが被圧入部材に正しく圧入されない場合には、液温センサＴおよび保持部材３２が、被圧入部材によって押圧され、図６（ｂ）に示すように、弾性バネ３４が規定量以上に圧縮される。そのため、保持部材３２は適正位置Ｑよりも上部の位置Ｑ´まで上昇した状態で停止する。この場合は、クリップＣの組み付け動作を行っても、クリップＣは、ＯリングＲに当接して挿入できないか、液温センサＴを挟持できないため、そのままクリップＣが引き抜かれることとなる。
【００５４】
なお、液温センサＴが被圧入部材に正しく圧入されないことは、クリップＣの組み付け動作で確認するだけでなく、例えば、保持部３１の一部に孔部を設け、内部の保持部材３２の位置を目視できるように構成してもよい。
【００５５】
以上に述べたように、本発明の圧入装置によれば、液温センサＴの圧入と、クリップＣの組み付けとを一連の動作で行うことができるため、作業効率を向上させることができる。また、液温センサＴが被圧入部材Ｐに正しく圧入されない場合には、クリップＣが組み付けられないため、圧入不良を容易に検知できる。また、被圧入部材Ｐを弾性的に支持しているため、圧入が正しく行われない場合でも、無理に圧入することによりＯリングＲを切断させることや、圧入部材である液温センサを破損させることもない。そのため、液漏れが発生したり、液温を正しく検知できない不完全な製品の製造を防止することができる。
【００５６】
なお、上述の実施形態においては、Ｏリングを装着した液温センサを圧入する例を示したが、これに限ることなく、Ｏリングを介して圧入される部材に広く適用することができる。
【００５７】
以上、本発明の実施形態について説明したが、本発明は上述の実施形態に限定されるものではなく、本発明の要旨を逸脱しない範囲で種々の変更を加え得ることは勿論である。
【符号の説明】
【００５８】
１０    圧入装置
２１    支持部材
３１    保持部材
２２    弾性部材
Ｐ      被圧入部材
Ｒ      Ｏリング
Ｔ      液温センサ（圧入部材）
【図２】
0005892539.tif 000002
【図３】
0005892539.tif 000003
【図４】
0005892539.tif 000004
【図５】
0005892539.tif 000005
【図６】
0005892539.tif 000006
【図７】
0005892539.tif 000007
【図１】
0005892539.tif 000008